(57)【要約】  情報処理装置（１００）は、移動体に搭載され、携帯電話装置と近距離無線通信をおこなうことが可能である。情報処理装置（１００）は、設定部（１０１）と、検知部（１０２）と、検出部（１０３）と、制御部（１０４）とを備える。設定部（１０１）には、使用時の通常状態と、電源をオフにしたオフ状態とのうち、いずれかが設定される。検知部（１０２）は、設定部（１０１）に当該いずれかの状態とするかの検知がおこなわれる。検出部（１０３）は、携帯電話装置が周辺に存在するか否かを検出する。制御部（１０４）は、通常状態にて、検知部（１０２）にオフ状態に設定することの検知がなされた場合で検出部（１０３）により携帯電話装置が周辺に存在すると検出されたとき、検出されたときから所定時間経過後に、通常状態からオフ状態に移行させる。
2009078091.tif 000002
【特許請求の範囲】
【請求項１】
移動体に搭載され、携帯電話装置と近距離無線通信をおこなうことが可能な情報処理装置において、
使用時の状態（以下、「通常状態」という）と、電源をオフにした状態（以下、「オフ状態」という）とのうち、いずれかの状態とするかを検知する検知手段と、
前記携帯電話装置が周辺に存在するか否かを検出する検出手段と、
前記通常状態にて、前記検知手段よりオフ状態にする旨が検知された場合で前記検出手段により前記携帯電話装置が周辺に存在すると検出されたとき、当該検出されたときから所定時間経過後に、前記通常状態から前記オフ状態に移行させる制御手段と、
を備えることを特徴とする情報処理装置。
【請求項２】
前記制御手段は、前記通常状態から表示画面の表示を休止させた状態（以下、「待機状態」という）に移行させた後、所定時間経過後に、前記待機状態から前記オフ状態に移行させることを特徴とする請求項１に記載の情報処理装置。
【請求項３】
前記制御手段は、前記通常状態から前記待機状態に移行させた後、所定時間経過前に、前記検出手段によって前記携帯電話装置が周辺に存在しないと検出された場合に、前記待機状態から前記オフ状態に移行させることを特徴とする請求項２に記載の情報処理装置。
【請求項４】
前記制御手段は、前記通常状態から前記待機状態に移行させた後、所定時間経過前に、利用者からの入力操作があった場合に、前記待機状態から前記通常状態に移行させることを特徴とする請求項２に記載の情報処理装置。
【請求項５】
前記制御手段は、夜間の表示モードにて画面表示されていた際、前記通常状態から前記待機状態に移行させた後、所定時間経過後に、前記待機状態から前記オフ状態に移行させることを特徴とする請求項２に記載の情報処理装置。
【請求項６】
現在位置の情報を取得する取得手段をさらに備え、
前記制御手段は、前記取得手段によって取得された現在位置が自宅周辺以外の際、前記検知手段によりオフ状態に設定することが検知された場合に、前記検出手段により携帯電話装置が周辺に存在することが検出されたとき、所定時間経過後に、前記通常状態から前記オフ状態に移行させることを特徴とする請求項１に記載の情報処理装置。
【請求項７】
前記オフ状態にて、所定の時間ごとに、近距離無線通信が可能な周辺の前記携帯電話装置を検索する検索手段をさらに備え、
前記制御手段は、前記検索手段の検索結果により周辺に前記携帯電話装置が存在する場合に、前記オフ状態から前記待機状態に移行させることを特徴とする請求項１〜６のいずれか一つに記載の情報処理装置。
【請求項８】
前記制御手段は、前記オフ状態から前記待機状態に移行させた後、前記通常状態に設定することが検知された場合に、前記待機状態から前記通常状態に移行させることを特徴とする請求項７に記載の情報処理装置。
【請求項９】
使用時の状態（以下、「通常状態」という）と、電源をオフにした状態（以下、「オフ状態」という）とのうち、いずれか一つが設定されるとともに、携帯電話装置と近距離無線通信をおこなうことが可能な情報処理装置の制御方法において、
前記携帯電話装置が周辺に存在するか否かを検出する検出工程と、
前記通常状態にて、オフ状態に設定することが検知された場合に、周辺に携帯電話装置が存在することが検出されたとき、当該検出されてから所定時間経過後に、前記通常状態から前記オフ状態に移行させる制御工程と、
を含むことを特徴とする制御方法。
【請求項１０】
請求項９に記載の制御方法をコンピュータに実行させることを特徴とする制御プログラム。
【請求項１１】
請求項１０に記載の制御プログラムを記録したことを特徴とするコンピュータに読み取り可能な記録媒体。
【発明の詳細な説明】
【技術分野】
【０００１】
この発明は、車両などの移動体に搭載される情報処理装置、制御方法、制御プログラム、および記録媒体に関する。ただし、この発明は、上述した、情報処理装置、制御方法、制御プログラム、および記録媒体に限られるものではない。
【背景技術】
【０００２】
近年、車両などの移動体には、目的地までの経路を探索し、目的地までを誘導するナビゲーション装置が搭載されている。このようなナビゲーション装置では、電源を入れた際に、一定の待ち時間が生じる。この待ち時間を短縮させるために、電源オフの直前に表示されていた情報を不揮発性記憶媒体に記憶させ、電源を入れた際に、この不揮発性記憶媒体に記憶された情報を読み出すようにした技術が提案されている（たとえば、下記特許文献１参照。）。【０００３】
【特許文献１】特開平１０−２３９０７３号公報
【発明の開示】
【発明が解決しようとする課題】
【０００４】
しかしながら、上述した特許文献１に記載の技術は、エンジンキーをオフに位置させると、ナビゲーション装置の電源が落ちてしまい、たとえば、目的地に到達してエンジンキーをオフに位置させたものの、目的地周辺の情報を得るために、画面を再表示させるには、ナビゲーション装置を再起動させなければならないといった問題が一例として挙げられる。【０００５】
つまり、特許文献１に記載の技術は、画面の再表示や各種処理をおこなわせるに際し、ナビゲーション装置を起動する時間、および不揮発性媒体に記憶された情報を読み出す時間を要し、利用者は画面が表示されるのを待たなければならないといった問題が一例として挙げられる。特に、携帯電話装置を介して外部サーバと接続し、外部サーバから情報を取得する場合には、このような時間のロスは顕著になるといった問題が一例として挙げられる。
【課題を解決するための手段】
【０００６】
上述した課題を解決し、目的を達成するため、請求項１の発明にかかる情報処理装置は、移動体に搭載され、携帯電話装置と近距離無線通信をおこなうことが可能な情報処理装置において、使用時の状態（以下、「通常状態」という）と、電源をオフにした状態（以下、「オフ状態」という）とのうち、いずれかの状態とするかを検知する検知手段と、前記携帯電話装置が周辺に存在するか否かを検出する検出手段と、前記通常状態にて、前記検知手段よりオフ状態にする旨が検知された場合で前記検出手段により前記携帯電話装置が周辺に存在すると検出されたとき、当該検出されたときから所定時間経過後に、前記通常状態から前記オフ状態に移行させる制御手段と、を備えることを特徴とする。【０００７】
また、請求項９に記載の制御方法は、使用時の状態（以下、「通常状態」という）と、電源をオフにした状態（以下、「オフ状態」という）とのうち、いずれか一つが設定されるとともに、携帯電話装置と近距離無線通信をおこなうことが可能な情報処理装置の制御方法において、前記携帯電話装置が周辺に存在するか否かを検出する検出工程と、前記通常状態にて、オフ状態に設定することが検知された場合に、周辺に携帯電話装置が存在することが検出されたとき、当該検出されてから所定時間経過後に、前記通常状態から前記オフ状態に移行させる制御工程と、を含むことを特徴とする。【０００８】
また、請求項１０に記載の制御プログラムは、請求項９に記載の制御方法をコンピュータに実行させることを特徴とする。【０００９】
また、請求項１１の発明にかかる記録媒体は、請求項１０に記載の制御プログラムをコンピュータに読み取り可能に記録したことを特徴とする。
【図面の簡単な説明】
【００１０】
【図１】図１は、実施の形態にかかる情報処理装置の機能的構成の一例を示すブロック図である。
【図２】図２は、本実施の形態にかかる情報処理装置の制御処理手順の一例を示すフローチャートである。
【図３】図３は、本実施例にかかるナビゲーション装置のハードウェア構成の一例を示すブロック図である。
【図４】図４は、本実施例にかかるナビゲーション装置がおこなうオン状態時における制御処理の一例を示すフローチャートである。
【図５】図５は、携帯電話装置およびブルートゥースデバイスアドレスの登録情報の一例を示した説明図である。
【図６】図６は、本実施例にかかるナビゲーション装置がおこなうオフ状態時における制御処理の一例を示すフローチャートである。
【図７】図７は、ディスプレイに表示される表示画面の一例を示した説明図である。
【符号の説明】
【００１１】
１００  情報処理装置
１０１  設定部
１０２  検知部
１０３  検出部
１０４  制御部
１０５  表示部
１０６  取得部
１０７  検索部
３００  ナビゲーション装置
【発明を実施するための最良の形態】
【００１２】
以下に添付図面を参照して、この発明にかかる情報処理装置、制御方法、制御プログラム、および記録媒体の好適な実施の形態を詳細に説明する。【００１３】
（実施の形態）
（情報処理装置の機能的構成）
この発明の実施の形態にかかる情報処理装置１００の機能的構成について説明する。図１は、実施の形態にかかる情報処理装置１００の機能的構成の一例を示すブロック図である。【００１４】
図１において、情報処理装置１００は、移動体に搭載され、携帯電話装置と近距離無線通信をおこなうことが可能である。そして、この近距離無線通信により携帯電話装置から各種情報を取得して、各種処理がおこなわれる。この情報処理装置１００は、設定部１０１と、検知部１０２と、検出部１０３と、制御部１０４と、表示部１０５と、取得部１０６と、検索部１０７とを備えている。【００１５】
なお、この情報処理装置１００は、電源供給元から電源の供給により起動して各種処理がおこなわれるが、後述する電源をオフにする状態とされた場合でも所定の条件を満す場合には電源の供給が継続されて一部または全ての各種処理がおこなわれるものである。なお、各種処理の一部がおこなわれる状態が後述する待機状態にあてはまり、各種処理の全てがおこなわれる状態が後述する通常状態にあてはまる。【００１６】
設定部１０１には、使用時の状態（以下、「通常状態」という）と、電源をオフにした状態（以下、「オフ状態」という）とのうち、いずれかが設定される。通常状態とは、たとえば、地図画面やメニュー画面が表示され、利用者からの入力に対して、各種処理がおこなわれる状態である。また、オフ状態とは、メモリをバックアップして動作を停止した状態であり、具体的には、表示部１０５の画面表示やインジケータの点灯がされず、利用者からの入力に対して、各種処理がおこなわれない状態である。【００１７】
なお、たとえば、情報処理装置１００が車両に搭載されている場合には、車両のバッテリーから電源が供給される。なお、情報処理装置１００は、バッテリーに直結しているバックアップ電源ラインからバックアップ電源が常時供給され、また、アクセサリー電源スイッチを経由するアクセサリー電源ラインからアクセサリー電源が供給される。【００１８】
検知部１０２は、たとえば、アクセサリー電源が供給されているか、またはアクセサリー電源が供給されていないかを検知する。たとえば、通常、利用者が車両のエンジンキーを操作することによってアクセサリー電源スイッチのオン/オフが切り替えられる。検知部１０２は、たとえば、アクセサリー電源が供給されているか、または、アクセサリー電源が供給されていないかを電源電圧の変動等により検知する。なお、この場合では、アクセサリー電源が供給されている状態が電源をオンにする状態とされ、アクセサリー電源が供給されていない状態が電源をオフにする状態とされる。【００１９】
検出部１０３は、携帯電話装置を載置することが可能な載置部材上の携帯電話装置を検出する。載置部材は、具体的には、クレードルである。この載置部材は、拡張機器であり、たとえば、携帯電話装置を載置することによって、情報処理装置１００との接続や携帯電話装置の充電をおこなうことが可能になっている。また、この載置部材は情報処理装置１００の周辺に存在する。【００２０】
検出部１０３は、具体的には、たとえば、載置部材からの接続信号を用いたり、携帯電話装置をセンシングしたりすることにより、携帯電話装置の有無を検出する。なお、検出部１０３は、載置部材からの接続信号やセンシングにより携帯電話装置の有無を検出することに限ることなく、たとえば、載置部材に載置されたことを認識した携帯電話装置から当該載置された旨の信号を受信することにより、携帯電話装置の有無を検出するようにしてもよい。【００２１】
制御部１０４は、通常状態にて、電源をオフにする状態と検知された場合に、検出部１０３によって載置部材上の携帯電話装置が検出されたとき、所定時間経過後に、通常状態からオフ状態に移行させる。電源をオフにする状態は、たとえば、上記したアクセサリー電源が供給されていない状態である。つまり、制御部１０４は、電源をオフにする状態が検知されたとしても、載置部材上に携帯電話装置が検出されたときは、所定時間経過するまで、バックアップ電源ラインからの電源により各種処理がおこなえるようにし、通常状態、または後述する待機状態を保持する。なお、電源をオフにする状態には、主電源ボタンが押下されることによるオフの状態は含まない。所定時間とは、たとえば、利用者が電源をオフにした直後に再度画面表示させるために電源をオンにすることが想定される時間の範囲であり、任意に設定すればよい。【００２２】
なお、制御部１０４は、当該所定時間を計測するための計測部（不図示）を備える。また、制御部１０４は、通常状態にて、検知部１０２によって電源をオフにする状態が検知された場合に、検出部１０３によって載置部材上の携帯電話装置が検出されたとき、所定時間経過後に、通常状態からオフ状態に移行させるが、これに限らない。たとえば、検出部１０３が周辺の携帯電話装置との近距離無線通信の接続が確立されている状態にあるかを検出する機能を有し、制御部１０４は、通常状態にて、検知部１０２によって電源をオフする状態が検知された場合に、検出部１０３によって携帯電話装置との近距離無線通信の接続が確立されていることが検出されたとき、所定時間経過後に、通常状態からオフ状態に移行させるようにしてもよい。【００２３】
この所定時間は、利用者からの入力により適宜、変更できる。なお、制御部１０４は、載置部材上の携帯電話装置が検出されないとき、または周辺の携帯電話装置との近距離無線通信の接続が確立されていないときには、所定時間の経過を待たずに、通常状態からオフ状態に移行させる。また、利用者が情報処理装置１００の主電源ボタンをオフにした場合にも、所定時間の経過を待たずに、通常状態からオフ状態に移行させる。つまり、バックアップ電源からの電源により各種処理がおこなえるようにせず、オフ状態に移行させる。【００２４】
また、本実施の形態において、設定部１０１には、通常状態、オフ状態、および表示画面の表示を休止させた状態（以下、「待機状態」という）のうち、いずれか一つが設定されるようにしてもよい。待機状態は、レジューム状態であり、具体的には、たとえば、表示部１０５やインジケータ等を消灯させる一方、利用者からの入力に対して、各種処理をおこなうことができる状態であり、あたかも、停止したように見える状態である。また、待機状態において、外部サーバと通信接続している場合には、外部サーバと適宜、送受信がおこなわれる。【００２５】
この場合、制御部１０４は、検知部１０２によって電源をオフにする状態が検知され、かつ、載置部材上に携帯電話装置が載置されていることが検出されている、または携帯電話装置との近距離無線通信の接続が確立されていることが検出されている場合に、通常状態から待機状態に移行させた後、所定時間経過後に、待機状態からオフ状態に移行させる。なお、制御部１０４は、載置部材上の携帯電話装置が検出されないとき、または携帯電話装置との近距離無線通信の接続が断たれているときには、待機状態に移行させずに、通常状態からオフ状態に移行させる。【００２６】
また、本実施の形態において、制御部１０４は、通常状態から待機状態に移行させた後、所定時間経過前に、検出部１０３によって載置部材上に携帯電話装置が検出されなくなった場合、または携帯電話装置との近距離無線通信の接続が断たれてしまった場合に、待機状態からオフ状態に移行させるようにしてもよい。載置部材上に携帯電話装置が検出されなくなった場合とは、具体的には、たとえば、利用者により携帯電話装置が載置部材から取り外された場合であり、携帯電話装置との近距離無線通信の接続が断たれてしまった場合とは、携帯電話装置の電源がオフされてしまった場合や携帯電話装置の位置が近距離無線通信の可能な範囲から外れてしまった場合である。【００２７】
また、本実施の形態において、制御部１０４は、通常状態から待機状態に移行させた後、所定時間経過前に、利用者からの操作入力があった場合に、待機状態から通常状態に移行させるようにしてもよい。操作入力は、たとえば、操作ボタンに対する操作入力や、タッチパネルに触れることによる操作入力である。待機状態から通常状態への移行は、表示部１０５やインジケータ等の消灯した状態から、動作画面を出して、インジケータ等が点灯状態への移行である。なお、利用者からの操作入力があった後に、載置部材上から携帯電話装置が検出されなくなった場合や周辺の携帯電話装置との近距離無線通信の接続が断たれてしまった場合には、オフ状態に移行する。【００２８】
また、本実施の形態において、制御部１０４は、夜間の表示モードにて画面表示されており、通常状態から待機状態に移行させた後、所定時間経過後に、待機状態から前記オフ状態に移行させるようにしてもよい。夜間の表示モードは、昼間の表示モードに比べて暗い表示である。夜間のモードが表示されているときとしたのは、具体的には、時間帯を限定する趣旨であり、これは、たとえば、夜間、エンジンを停止後に、無人の車両内にて画面表示されていると、盗難などに遭うおそれがあり、不用心であるということに基づく。このように、本構成は、夜間には、通常状態を保持することなく、すぐに待機状態に移行させることにより、画面表示をさせないようにしたものである。【００２９】
また、本実施の形態において、取得部１０６は、任意の構成要素である。取得部１０６は、現在位置の情報を取得する。この場合、制御部１０４は、取得部１０６によって取得された現在位置が自宅周辺以外であり、検知部１０２によりオフ状態に設定することが検知され、さらに、携帯電話装置が載置されていることが検出された場合、または携帯電話装置との近距離無線通信の接続が確立されていることが検出された場合に、所定時間経過後に、通常状態からオフ状態に移行させる。【００３０】
なお、制御部１０４は、現在位置が自宅周辺である場合には、検知部１０２によって電源をオフにする状態が検知されたときに、所定時間の経過を待たずに、通常状態からオフ状態に移行させる。現在位置が自宅周辺であるか否かの判断は、具体的には、予め登録される自宅の位置情報と現在位置の情報とを用いることによっておこなわれる。【００３１】
また、本実施の形態において、検索部１０７は、任意の構成要素である。検索部１０７は、オフ状態にて、所定の時間ごとに、近距離無線通信が可能な周辺の携帯電話装置を検索する。検索部１０７は、具体的には、近距離無線通信を用いて、周辺の携帯電話装置を検索する。より詳細には、検索部１０７は、予め登録される携帯電話装置が周辺に存在するか否かを、順次認証することにより、検索をおこなう。近距離無線通信には、代表的には、Ｂｌｕｅｔｏｏｔｈデバイスが用いられるが、赤外線デバイスを用いることも可能である。なお、Ｂｌｕｅｔｏｏｔｈは、登録商標である。【００３２】
なお、情報処理装置１００は、Ｂｌｕｅｔｏｏｔｈデバイスを介して携帯電話装置と近距離無線通信をおこなうことにより、外部サーバと接続可能になり、たとえば、携帯電話装置に紐付けられた個人ごとの属性に基づく情報を受信することが可能になっている。【００３３】
なお、オフ状態では、全ての電源がオフになっているのではなく、少なくとも、検索部１０７による検索をおこなうための電源が供給される。所定の時間は、検索をおこなう時間の間隔であり、任意に設定すればよいが、より詳細な検索をおこなえるという観点からすれば、短い間隔であることが望ましい。また、周辺とは、近距離無線通信が可能な範囲であり、具体的には、移動体の外を含む範囲である。【００３４】
この場合、制御部１０４は、検索部１０７の検索結果により周辺に携帯電話装置が存在する場合に、オフ状態から待機状態に移行させる。本構成は、具体的には、移動体の外から利用者が近づいてきた際に、オフ状態から待機状態に移行させることを可能にしたものである。【００３５】
なお、制御部１０４は、検索部１０７の検索結果により周辺に携帯電話装置が存在する場合に、オフ状態から通常状態に移行させるようにしてもよい。さらに、この場合、制御部１０４は、一定時間が経過しても検知部１０２によって電源をオンにする状態が検知されない場合、つまり、利用者がアクセサリー電源スイッチをオンすることや操作入力がおこなわれることがない場合、通常状態からオフ状態に移行させればよい。なお、一定時間とは、検索がおこなわれてから利用者が車両に乗り込むために要する程度の時間である。【００３６】
また、本実施の形態において、制御部１０４は、検索部１０７の検索結果に基づき、オフ状態から待機状態に移行させた後、検知部１０２によって電源をオンにする状態が検知された場合に、待機状態から通常状態に移行させるようにしてもよい。本構成は、移動体の外から利用者が近づき、オフ状態から待機状態に移行させた後、利用者がアクセサリー電源スイッチをオンさせたときや、タッチパネルなどから操作入力があったときに、待機状態から通常状態へ移行させることを可能にしたものである。つまり、利用者からの入力があったときに、瞬時に通常状態に移行することが可能となる。【００３７】
（情報処理装置の制御処理手順）
つぎに、図２を用いて、情報処理装置１００の制御処理手順について説明する。図２は、本実施の形態にかかる情報処理装置１００の制御処理手順の一例を示すフローチャートである。【００３８】
図２のフローチャートにおいて、情報処理装置１００は、通常状態に設定されているものとし、この状態において、電源をオフにする状態が検知されたか否かを判断する（ステップＳ２０１）。電源をオフにする状態が検知されない場合は電源をオフにする状態が検知されるまで待機する（ステップＳ２０１：Ｎｏのループ）。電源をオフにする状態が検知されると（ステップＳ２０１：Ｙｅｓ）、載置部材上に携帯電話装置が載置されているか否か、または携帯電話装置との近距離無線通信の接続が確立されているか否かを判断する（ステップＳ２０２）。【００３９】
載置部材上に携帯電話装置が載置されている、または近距離無線通信の接続が確立されていると判断した場合（ステップＳ２０２：Ｙｅｓ）、所定時間経過したか否かを判断する（ステップＳ２０３）。所定時間経過するまで（ステップＳ２０３：Ｎｏ）、ステップＳ２０２に移行し、所定時間経過すると（ステップＳ２０３：Ｙｅｓ）、通常状態からオフ状態に移行し（ステップＳ２０４）、一連の処理を終了する。【００４０】
一方、載置部材上に携帯電話装置が載置されていないと判断した場合や近距離無線通信の接続が確立されていないと判断した場合（ステップＳ２０２：Ｎｏ）、ステップＳ２０４に移行し、所定時間の経過を待たずに通常状態からオフ状態に移行して一連の処理を終了する。【００４１】
以上説明したように、本実施の形態にかかる情報処理装置１００によれば、通常状態にて、電源をオフにする状態が検知された場合に、載置部材上に携帯電話装置が存在するとき、または携帯電話装置との近距離無線通信の接続が確立されているとき、所定時間経過後に、通常状態からオフ状態に移行させるようにしたので、アクセサリー電源が供給されていない状態であっても、しばらくは、通常状態を保持することができる。したがって、利用者は、たとえば、アクセサリー電源スイッチを「オフ」に位置させた後であっても、情報処理装置１００を使用したい場合には、情報処理装置１００を再起動することなく、つまり、待ち時間がなく、即座に情報処理装置１００を使用することができる。【００４２】
また、本実施の形態において、通常状態から待機状態に移行させた後、所定時間経過後に、待機状態からオフ状態に移行させるようにすれば、無駄な電源の消費を防止することができるだけでなく、必要に応じて、即座に画面表示をおこなうことができる。【００４３】
また、本実施の形態において、通常状態から待機状態に移行させた後、所定時間経過前に、載置部材上に携帯電話装置が存在しなくなったとき、または携帯電話装置との近距離無線通信の接続が断たれてしまったときに、待機状態からオフ状態に移行させるようにすれば、無駄な電源の消費を防止することができる。つまり、利用者が携帯電話装置を載置部材から取り外したことや携帯電話装置を持ち去ってしまったことで、情報処理装置１００を使用する可能性の低いことが想定でき、この場合に、オフ状態に移行させることにより、無駄な電源の消費を防止することが可能になる。【００４４】
また、本実施の形態において、通常状態から待機状態に移行させた後、所定時間経過前に、利用者からの操作入力があった場合に、待機状態から通常状態に移行させるようにすれば、必要に応じて、即座に画面表示をおこなうことができる。【００４５】
また、本実施の形態において、夜間の表示モードにて画面表示されていた場合であって、通常状態から待機状態に移行させた後、所定時間経過後に、待機状態からオフ状態に移行させるようにすれば、夜間に、エンジンを切った後に、たとえば、無人の移動体内にて画面表示がされることにより、不用心になることを防止できる。【００４６】
また、本実施の形態において、現在位置が自宅周辺以外の場合に、電源をオフにする入力があった場合、所定時間経過後に、通常状態からオフ状態に移行させるようにすれば、利用者が情報処理装置１００を使用する可能性のある場所にて、しばらくの間、画面表示させておくことができる。言い換えれば、電源をオフにする状態が検知された場合に、自宅周辺などの利用者が情報処理装置１００を使用する可能性の低い場所にて、オフ状態に移行させることができる。【００４７】
また、本実施の形態において、オフ状態にて、所定の時間ごとに、近距離無線通信が可能な周辺の携帯電話装置を検索するようにし、周辺に携帯電話装置が存在する場合に、オフ状態から待機状態に移行させるようにすれば、移動体の外から利用者が近づいてきた際に、オフ状態から待機状態に移行させることができる。また、オフ状態から待機状態に移行させることに限らず、オフ状態から通常状態に移行させるようにすれば、利用者が移動体に乗る前から、画面表示させることができ、待ち時間をなくすことができる。【００４８】
また、本実施の形態において、オフ状態から待機状態に移行させた後、電源をオンにする状態が検知された場合に、待機状態から通常状態に移行させるようにすれば、移動体の外から利用者が近づき、オフ状態から待機状態に移行させた後、利用者がアクセサリー電源スイッチをオンさせたときや操作入力をおこなったときに、瞬時に通常状態に移行することが可能になり、画面表示されるまでの待ち時間をなくすことができる。
【実施例】
【００４９】
以下に、本発明の実施例について説明する。なお、以下の説明においては、車両に搭載されるナビゲーション装置によって、本発明の情報処理装置を実施した場合の一例について説明する。なお、このナビゲーション装置は、携帯電話装置から近距離無線通信により各種情報を取得して各種処理がおこなわれる。また、このナビゲーション装置は、電源供給元からアクセサリー電源の供給により起動して各種処理がおこなわれるが、電源をオフする入力があった場合でも所定の条件を満す場合にはアクセサリー電源の供給が継続されて一部または全ての各種処理がおこなわれるものである。【００５０】
（ナビゲーション装置のハードウェア構成）
図３を用いて、本実施例にかかるナビゲーション装置３００のハードウェア構成について説明する。図３は、本実施例にかかるナビゲーション装置３００のハードウェア構成の一例を示すブロック図である。【００５１】
図３において、ナビゲーション装置３００は、車両などの移動体に搭載されており、クレードル３４０に対して脱着可能な携帯電話装置３３０と近距離無線通信が可能になっている。ナビゲーション装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、マイク３０９と、スピーカ３１０と、入力デバイス３１１と、映像Ｉ／Ｆ３１２と、ディスプレイ３１３と、通信Ｉ／Ｆ３１４と、ＢＴ（Ｂｌｕｅｔｏｏｔｈ）デバイス３１５と、ＧＰＳユニット３１６と、各種センサ３１７と、を備えている。なお、Ｂｌｕｅｔｏｏｔｈは、登録商標である。また、各構成部３０１〜３１７はバス３２０によってそれぞれ接続されている。【００５２】
ＣＰＵ３０１は、ナビゲーション装置３００の全体の制御を司る。ＲＯＭ３０２は、ブートプログラム、現在地点算出プログラム、経路探索プログラム、経路誘導プログラム、制御プログラムなどの各種プログラムを記録している。なお、これらプログラムは、書換え可能な不揮発性メモリに記録するようにしてもよい。また、ＲＡＭ３０３は、ＣＰＵ３０１のワークエリアとして使用される。また、ＣＰＵ３０１は、時間を計測するタイマーを内蔵している。【００５３】
現在地点算出プログラムは、たとえば、後述するＧＰＳユニット３１６および各種センサ３１７の出力情報に基づいて、車両の現在地点（ナビゲーション装置３００の現在地点）を算出させる。【００５４】
経路探索プログラムは、後述する磁気ディスク３０５に記録されている地図データなどを利用して、出発地点から目的地点までの最適な経路を探索させる。ここで、最適な経路とは、目的地点までの最短（または最速）経路やユーザが指定した条件に最も合致する経路などである。探索された経路は、ＣＰＵ３０１を介して音声Ｉ／Ｆ３０８や映像Ｉ／Ｆ３１２へ出力される。【００５５】
経路誘導プログラムは、経路探索プログラムを実行することによって探索された誘導経路情報、現在地点算出プログラムを実行することによって算出された車両の現在地点情報、磁気ディスク３０５から読み出された地図データに基づいて、リアルタイムな経路誘導情報を生成させる。生成された経路誘導情報は、ＣＰＵ３０１を介して音声Ｉ／Ｆ３０８や映像Ｉ／Ｆ３１２へ出力される。【００５６】
制御プログラムは、表示状態に関する情報と、クレードル３４０に携帯電話装置３３０がセットされた際の接続信号とに基づいて、表示状態を移行させるプログラムである。なお、表示状態は、ナビゲーション装置３００を使用する際の通常状態と、電源をオフにしたオフ状態と、表示画面の表示を休止させた待機状態とがある。【００５７】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。【００５８】
光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータの読み出される着脱自在な記録媒体である。光ディスク３０７は、書き込み可能な記録媒体を利用することもできる。また、この着脱自在な記録媒体として、光ディスク３０７のほか、ＭＯ、メモリカードなどであってもよい。【００５９】
音声Ｉ／Ｆ３０８は、マイク３０９およびスピーカ３１０に接続される。マイク３０９は、マイク３０９は、たとえば、車両のサンバイザー付近に設置され、その数は単数でも複数でもよい。マイク３０９に受音された音声は、音声Ｉ／Ｆ３０８内でＡ／Ｄ変換される。【００６０】
スピーカ３１０は、音声を出力する。具体的には、スピーカ３１０からは、経路誘導に関する音声や、ハンズフリー通話時の携帯電話装置３３０による相手先の通話音声が出力される。入力デバイス３１１は、文字、数値、各種指示などの入力のための複数のキーを備えたリモコン、キーボード、マウス、タッチパネルなどが挙げられる。入力デバイス３１１は、リモコン、キーボード、マウス、タッチパネルのうち、いずれか一つの形態によって実現されてもよいし、複数の形態によって実現されてもよい。【００６１】
映像Ｉ／Ｆ３１２は、ディスプレイ３１３と接続される。映像Ｉ／Ｆ３１２は、具体的には、たとえば、ディスプレイ３１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１３を表示制御する制御ＩＣなどによって構成される。【００６２】
ディスプレイ３１３には、アイコン、カーソル、メニュー、ウインドウ、あるいは文字や画像などの各種データが表示される。このディスプレイ３１３は、たとえば、ＣＲＴ、ＴＦＴ液晶ディスプレイ、プラズマディスプレイなどを採用することができる。ディスプレイ３１３は、たとえば、車両のダッシュボード付近に設置される。また、ディスプレイ３１３は、映像Ｉ／Ｆ３１２からの指令により夜間の表示モード、昼間の表示モードのいずれかの表示モードで各種情報を表示する。なお、映像Ｉ／Ｆ３１２は、たとえば、車両のイグニッションキーのオンにより昼間の表示モードから夜間の表示モードに切り替える旨の指令をディスプレイ３１３に与える。【００６３】
通信Ｉ／Ｆ３１４は、無線を介してネットワークに接続され、ナビゲーション装置３００とＣＰＵ３０１とのインターフェースとして機能する。通信Ｉ／Ｆ３１４は、さらに、無線を介してインターネットなどの通信網に接続され、この通信網とＣＰＵ３０１とのインターフェースとしても機能する。【００６４】
また、通信Ｉ／Ｆ３１４は、ＢＴデバイス３１５を含む。ＢＴデバイス３１５は、携帯電話装置３３０と近距離無線通信をおこない、ハンズフリー通話時の音声情報やインターネットのサイト情報などの送受信をおこなう。ＢＴデバイス３１５は、たとえば、２．４ＧＨｚの電波を利用し、周辺の所定範囲内の携帯電話装置３３０と通信をおこなう。また、ＢＴデバイス３１５は、ＣＰＵ３０１の制御により、ナビゲーション装置３００のオフ状態にて、所定の時間ごとに、周辺の携帯電話装置３３０を検索する。【００６５】
たとえば、周辺の携帯電話装置３３０に対し、機器ＩＤ等の送信を要求する信号を発信する。そして、検索結果に基づき、周辺の携帯電話装置３３０との認証処理をおこない近距離無線通信の接続を確立させる。また、通信Ｉ／Ｆ３１４は、携帯電話装置３３０との近距離無線通信の接続状態を検出する。必要に応じて当該検出状態（接続が確立されている状態か、または接続が断たれている状態か）を示す信号をＣＰＵ３０１に伝送する。【００６６】
ＧＰＳユニット３１６は、ＧＰＳ衛星からの電波を受信し、車両の現在地点を示す情報を出力する。ＧＰＳユニット３１６の出力情報は、後述する各種センサ３１７の出力値とともに、ＣＰＵ３０１による車両の現在地点の算出に際して利用される。現在地点を示す情報は、たとえば緯度・経度、高度などの、地図データ上の１点を特定する情報である。なお、ＣＰＵ３０１は、車両の現在地点と、予め磁気ディスク等に記録されている自宅の位置情報とから現在位置が自宅周辺にあるかを判断する。この自宅周辺にあるかは、たとえば、自宅までの道のり距離が１００ｍ以内にあるかで判断する。【００６７】
各種センサ３１７は、車速センサ、加速度センサ、角速度センサなどの、車両の位置や挙動を判断することが可能な情報を出力する。各種センサ３１７の出力値は、ＣＰＵ３０１による車両の現在地点の算出や、速度や方位の変化量の測定などに用いられる。【００６８】
携帯電話装置３３０は、ＢＴデバイス３１５と同様のデバイスを内蔵しており、ナビゲーション装置３００と近距離無線通信をおこなえるようになっている。携帯電話装置３３０は、外部サーバと接続可能であり、たとえば、携帯電話装置３３０に紐付けられた個人ごとの属性に基づく情報を受信することが可能である。携帯電話装置３３０が受信した情報は、ＢＴデバイス３１５を介してスピーカ３１０やディスプレイ３１３から出力される。【００６９】
クレードル３４０は、載置部材に相当する。このクレードル３４０は、スタンド型の拡張機器であり、たとえば、携帯電話装置３３０をセットすることによって、ナビゲーション装置３００との接続や携帯電話装置３３０の充電をおこなうことが可能になっている。携帯電話装置３３０がクレードル３４０にセットされたことを検出するには、クレードル３４０からの接続信号を用いてもよいし、クレードル３４０上の携帯電話装置３３０をセンシングしてもよい。また、クレードル３４０にセットされたことを認識した携帯電話装置３３０から当該セットされたことを示す信号をＢＴデバイス３１５により受信することによって検出するようにしてもよい。なお、クレードル３４０は、ナビゲーション装置３００の周辺に設置される。【００７０】
図１に示した情報処理装置１００が備える設定部１０１と、検知部１０２と、検出部１０３と、制御部１０４と、表示部１０５と、取得部１０６と、検索部１０７とは、図３に示したナビゲーション装置３００におけるＲＯＭ３０２や不揮発性メモリ、ＲＡＭ３０３、磁気ディスク３０５、光ディスク３０７などに記録されたプログラムやデータを用いて、ＣＰＵ３０１が所定のプログラムを実行し、ナビゲーション装置３００における各部を制御することによってその機能を実現する。【００７１】
すなわち、本実施例のナビゲーション装置３００は、ナビゲーション装置３００における記録媒体としてのＲＯＭ３０２や不揮発性メモリに記録されている制御プログラムを実行することにより、図１に示した情報処理装置１００が備える機能を、図２に示した制御処理手順で実行することができる。【００７２】
（ナビゲーション装置がおこなうオン状態時における制御処理の一例）
つぎに、図４を用いて、本実施例にかかるナビゲーション装置３００がおこなうオン状態時における制御処理の一例について説明する。図４は、本実施例にかかるナビゲーション装置３００がおこなうオン状態時における制御処理の一例を示すフローチャートである。【００７３】
図４において、ナビゲーション装置３００は、通常状態にあるものとし、電源をオフにする状態が検知されたか否かを判断する（ステップＳ４０１）。電源をオフにする状態が検知されるまで待機状態にある（ステップＳ４０１：Ｎｏのループ）。電源をオフにする状態が検知されたと判断すると（ステップＳ４０１：Ｙｅｓ）、現在位置が自宅周辺か否かを判断する（ステップＳ４０２）。現在位置が自宅周辺ではないと判断した場合（ステップＳ４０２：Ｎｏ）、携帯電話装置３３０がクレードル３４０にセットされているか否かを判断する（ステップＳ４０３）。【００７４】
携帯電話装置３３０がクレードル３４０にセットされていると判断した場合（ステップＳ４０３：Ｙｅｓ）、ｔ＝０として、タイマーにより時間の計測を開始する（ステップＳ４０４）。そして、使用していた画面表示が夜間の表示モードであるか否かを判断する（ステップＳ４０５）。【００７５】
夜間の表示モードであると判断した場合（ステップＳ４０５：Ｙｅｓ）、通常状態から待機状態に移行する（ステップＳ４０６）。一方、夜間の表示モードではないと判断した場合（ステップＳ４０５：Ｎｏ）、通常状態を保持し、ステップＳ４０７に移行する。このあと、計測を開始してから所定時間（ｎ）が経過したか否かを判断する（ステップＳ４０７）。【００７６】
所定時間が経過していないと判断した場合（ステップＳ４０７：Ｎｏ）、携帯電話装置３３０がクレードル３４０から外されたか否かを判断する（ステップＳ４０８）。携帯電話装置３３０がクレードル３４０から外されていない場合（ステップＳ４０８：Ｎｏ）、利用者からの操作入力があったか否かを判断する（ステップＳ４０９）。なお、利用者からの操作入力は、たとえば、タッチパネルに触れることによる操作入力である。【００７７】
操作入力があるまで（ステップＳ４０９：Ｎｏ）、ステップＳ４０７に移行する。操作入力があると（ステップＳ４０９：Ｙｅｓ）、待機状態から通常状態に移行し（通常状態にある場合は通常状態を保持し）（ステップＳ４１０）、一連の処理を終了する。【００７８】
一方、現在位置が自宅周辺であると判断した場合（ステップＳ４０２：Ｙｅｓ）、通常状態からオフ状態に移行し（ステップＳ４１１）、一連の処理を終了する。また、携帯電話装置３３０がクレードル３４０にセットされていないと判断した場合（ステップＳ４０３：Ｎｏ）、ステップＳ４１１に移行する。【００７９】
さらに、所定時間が経過したと判断した場合（ステップＳ４０７：Ｙｅｓ）、ステップＳ４１１に移行する。また、携帯電話装置３３０がクレードル３４０から外されたと判断した場合（ステップＳ４０８：Ｙｅｓ）、ステップＳ４１１に移行する。【００８０】
上述した処理によれば、通常状態にて、電源をオフにする状態が検知された場合であっても、しばらくは、通常状態を保持することができる。したがって、利用者は、エンジンキーを「オフ」に位置させた後であっても、ナビゲーション装置３００を使用したい場合には、再起動することなく、つまり、待ち時間がなく、即座にナビゲーション装置３００を使用することができる。【００８１】
なお、携帯電話装置３３０がクレードル３４０にセットされているか否かを判断すること、ならびに携帯電話装置３３０がクレードル３４０から外されたか否かを判断すること、の各々を、携帯電話装置３３０との近距離無線通信の接続が確立されているか否かを判断すること、ならびに携帯電話装置３３０との近距離無線通信の接続が断たれたか否かを判断すること、の各々に置き換えて処理をおこなうようにしてもよい。【００８２】
また、通常状態から待機状態に移行させた後、所定時間経過後に、待機状態からオフ状態に移行させるようにしたので、無駄な電源の消費を防止することができるだけでなく、必要に応じて、即座に画面表示をおこなうことができる。【００８３】
また、通常状態から待機状態に移行させた後、所定時間経過前に、クレードル３４０から携帯電話装置３３０が取り外されたときに、待機状態からオフ状態に移行させるようにしたので、無駄な電源の消費を防止することができる。【００８４】
また、通常状態から待機状態に移行させた後、所定時間経過前に、利用者からの操作入力があった場合に、待機状態から通常状態に移行させるようにしたので、必要に応じて、即座に画面表示をおこなうことができる。【００８５】
また、夜間の表示モードにて画面表示されていた場合であって、通常状態から待機状態に移行させた後、所定時間経過後に、待機状態からオフ状態に移行させるようにしたので、夜間に、エンジンを切った後に、たとえば、無人の車両内にて画面表示がされることにより、不用心になることを防止できる。【００８６】
また、現在位置が自宅周辺以外の場合に、電源をオフにする状態が検知された場合、所定時間経過後に、通常状態からオフ状態に移行させるようにしたので、利用者がナビゲーション装置３００を使用する可能性のある場所にて、しばらくの間、画面表示させておくことができる。言い換えれば、電源をオフにする入力があった場合に、自宅周辺など利用者がナビゲーション装置３００を使用する可能性の低い場所にて、オフ状態に移行させることができる。【００８７】
（携帯電話装置およびブルートゥースデバイスアドレスの登録情報の一例）
つぎに、図５を用いて、携帯電話装置３３０およびブルートゥースデバイスアドレス（ＢＤアドレス）の登録情報の一例について説明する。図５は、携帯電話装置３３０およびブルートゥースデバイスアドレス（ＢＤアドレス）の登録情報の一例を示した説明図である。【００８８】
図５において、登録情報５００は、携帯電話装置３３０と、ＢＤアドレス５０１と、自動オン設定５０２とからなる。携帯電話装置３３０と、ＢＤアドレス５０１は、それぞれ対応付けられて登録されている。自動オン設定５０２は、オフ状態において、所定の時間ごとに、周辺の携帯電話装置３３０を検索するか否かの設定である。【００８９】
また、自動オン設定５０２が設定されている場合には、検索の結果、周辺に登録されている携帯電話装置３３０が存在する場合には、自動で待機状態に移行させる。自動オン設定５０２に示す「○」は、自動オン設定５０２が設定されていることを示し、「−」は、自動オン設定５０２が設定されていないことを示している。自動オン設定５０２は、利用者からの入力により、適宜、設定変更可能である。このような登録情報５００により、ＢＴデバイス３１５は、ＢＤアドレス５０１に対応付けられている携帯電話装置３３０を検索するようになっている。【００９０】
（ナビゲーション装置がおこなうオフ状態時における制御処理の一例）
つぎに、図６を用いて、本実施例にかかるナビゲーション装置３００がおこなうオフ状態時における制御処理の一例について説明する。図６は、本実施例にかかるナビゲーション装置３００がおこなうオフ状態時における制御処理の一例を示すフローチャートである。【００９１】
図６において、ナビゲーション装置３００は、オフ状態にあるものとし、携帯電話装置３３０に対する周辺検索をおこなうタイミングか否かを判断する（ステップＳ６０１）。周辺検索をおこなうタイミングになるまで待機状態にある（ステップＳ６０１：Ｎｏのループ）。【００９２】
周辺検索をおこなうタイミングとなると（ステップＳ６０１：Ｙｅｓ）、ＢＴデバイス３１５により、周辺検索を開始する（ステップＳ６０２）。そして、登録されている携帯電話装置３３０が存在するか否かを判断する（ステップＳ６０３）。たとえば、ＢＤアドレス５０１に対応付けられている携帯電話装置３３０から、機器ＩＤ等の送信の要求に対する応答があったか否かを判断する。登録されている携帯電話装置３３０が存在する（自動オン設定５０２が「○」の携帯電話装置３３０が存在する）と判断した場合（ステップＳ６０３：Ｙｅｓ）、オフ状態から待機状態に移行する（ステップＳ６０４）。【００９３】
そして、待機状態に移行してから所定時間経過したか否かを判断する（ステップＳ６０５）。待機状態に移行してから所定時間経過していない場合（ステップＳ６０５：Ｎｏ）、電源をオフにしている状態か否かを判断する（ステップＳ６０６）。【００９４】
電源をオフにしている状態と判断した場合（ステップＳ６０６：Ｙｅｓ）、ステップＳ６０５に移行する。電源をオフにしている状態ではないと判断した場合（ステップＳ６０６：Ｎｏ）、つまり、利用者がエンジンキーを操作し、電源をオンにする入力があった場合やタッチパネルなどを操作することによる操作入力があった場合に、待機状態から通常状態に移行し（ステップＳ６０７）、一連の処理を終了する。なお、ステップＳ６０７において、通常状態に移行した直後の表示画面の詳細については、図７を用いて後述する。【００９５】
一方、ステップＳ６０３において、登録されている携帯電話装置３３０が存在しない（自動オン設定５０２が「○」の携帯電話装置３３０が存在しない）と判断した場合（ステップＳ６０３：Ｎｏ）、一連の処理を終了する。また、ステップＳ６０５において、待機状態に移行してから所定時間経過した場合（ステップＳ６０５：Ｙｅｓ）、待機状態からオフ状態に移行し（ステップＳ６０８）、一連の処理を終了する。【００９６】
上述した処理によれば、オフ状態にて、所定の時間ごとに、近距離無線通信が可能な周辺の携帯電話装置３３０を検索するようにし、周辺に携帯電話装置３３０が存在する場合に、オフ状態から待機状態に移行させるようにしたので、車両の外から利用者が近づいてきた際に、オフ状態から待機状態に移行させることができる。また、オフ状態から待機状態に移行させることに限らず、オフ状態から通常状態に移行させるようにすれば、利用者が車両に乗り込む前から、画面表示させることができ、待ち時間をなくすことができる。【００９７】
また、オフ状態から待機状態に移行させた後、電源をオフにしている状態ではなくなった場合に、待機状態から通常状態に移行させるようにしたので、車両の外から利用者が近づき、オフ状態から待機状態に移行させた後、利用者からの入力があると、即座に、待機状態から通常状態へ移行させることができる。したがって、利用者がエンジンキーを「アクセサリー電源」に位置させたときやタッチパネルなどから操作入力をおこなったときに、瞬時に通常状態に移行することが可能になり、画面表示されるまでの待ち時間をなくすことができる。【００９８】
（ディスプレイに表示される表示画面の一例）
つぎに、図７を用いて、ディスプレイ３１３に表示される表示画面の一例について説明する。図７は、ディスプレイ３１３に表示される表示画面の一例を示した説明図である。図７に示す表示画面は、図６に示したステップＳ６０７の通常状態に移行した直後の表示画面を示したものである。【００９９】
図７において、表示画面７００には、メッセージが表示されている。この表示画面７００は、利用者が運転席に乗り込み、タッチパネルを操作したり、エンジンキーを操作して電源をオンにした際に、即座に表示される画面である。つまり、この表示画面７００の前段階では、ナビゲーション装置３００が待機状態にあるため、利用者が運転席に乗り込み、タッチパネルを操作したり、エンジンキーを操作して電源をオンにすると、即座に、表示および音声による通知がおこなわれるようになっている。【０１００】
以上説明したように、本発明の情報処理装置、制御方法、制御プログラム、および記録媒体によれば、利用者が使用したい場合に、再起動することなく、つまり、待ち時間がなく、即座に画面表示させることができる。【０１０１】
なお、上記したナビゲーション装置３００として、たとえば、移動体に着脱可能とされる携帯型ナビゲーション装置にも適用可能である。上記したナビゲーション装置３００は、移動体に固定される固定型ナビゲーション装置であるが、携帯型ナビゲーション装置は、利用者による簡単な操作により移動体に対し着脱可能となり、持ち運び可能となるものである。【０１０２】
この携帯型ナビゲーション装置は、上記したナビゲーション装置３００とほぼ同様な構成を備えるが、携帯電話装置３３０と同様に携帯型ナビゲーション装置専用のクレードル３４０に装着されることで移動体に対し着脱可能となる。また、携帯型ナビゲーション装置が専用のクレードル３４０に装着された際には当該携帯型ナビゲーション装置に設けられたコネクタ端子を介して電源供給元となる移動体のシガーソケットから電源が供給され、各種処理がおこなわれる。携帯型ナビゲーション装置では、当該コネクタ端子を介して電源が供給されているか否かで電源をオフにする状態か、または電源をオンにする状態かを検知することができる。【０１０３】
そして、シガーソケットから電源が供給されている通常状態にて、電源をオフにする状態が検知されたときに、携帯電話装置３３０がクレードル３４０にセットされている場合、または携帯電話装置３３０との近距離無線通信の接続が確立されている場合は、携帯型ナビゲーション装置に内蔵されている電源により通常状態を保持し、所定時間経過後にオフ状態に移行する。この電源をオフにする状態とは、たとえば、携帯型ナビゲーション装置がクレードル３４０から離脱したときが挙げられる。【０１０４】
また、携帯型ナビゲーション装置が専用のクレードル３４０に装着されている状態において、登録されている携帯電話装置３３０が周辺に存在すると検索された場合には、内蔵されている電源によりオフ状態から待機状態に移行する。【０１０５】
このように、固定型のナビゲーション装置に限ることなく、携帯型ナビゲーション装置にも上記した本実施例は十分に適用可能となる。【０１０６】
なお、本実施例で説明した制御方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図１】
2009078091.tif 000003
【図２】
2009078091.tif 000004
【図３】
2009078091.tif 000005
【図４】
2009078091.tif 000006
【図５】
2009078091.tif 000007
【図６】
2009078091.tif 000008
【図７】
2009078091.tif 000009
【手続補正書】
【提出日】平成22年6月17日(2010.6.17)
【手続補正１】
【補正対象書類名】特許請求の範囲
【補正対象項目名】全文
【補正方法】変更
【補正の内容】
【特許請求の範囲】
【請求項１】
移動体に搭載され、携帯電話装置と近距離無線通信をおこなうことが可能な情報処理装置において、
使用時の状態（以下、「通常状態」という）と、電源をオフにした状態（以下、「オフ状態」という）とのうち、いずれかの状態とするかを検知する検知手段と、
前記携帯電話装置が周辺に存在するか否かを検出する検出手段と、
前記通常状態にて、前記検知手段によりオフ状態にする旨が検知された場合で前記検出手段により前記携帯電話装置が周辺に存在すると検出されたとき、当該検出されたときから所定時間経過後に、前記通常状態から前記オフ状態に移行させる制御手段と、
を備え、
前記制御手段は、前記携帯電話装置が周辺に存在すると検出されたときから前記所定時間経過するまでの間に利用者からの入力操作があった場合に、前記所定時間経過後も前記通常状態を保持することを特徴とする情報処理装置。
【請求項２】
前記制御手段は、前記通常状態から表示画面の表示を休止させた状態（以下、「待機状態」という）に移行させた後、所定時間経過後に、前記待機状態から前記オフ状態に移行させることを特徴とする請求項１に記載の情報処理装置。
【請求項３】
前記制御手段は、前記通常状態から前記待機状態に移行させた後、所定時間経過前に、前記検出手段によって前記携帯電話装置が周辺に存在しないと検出された場合に、前記待機状態から前記オフ状態に移行させることを特徴とする請求項２に記載の情報処理装置。
【請求項４】
前記制御手段は、前記通常状態から前記待機状態に移行させた後、所定時間経過前に、利用者からの入力操作があった場合に、前記待機状態から前記通常状態に移行させることを特徴とする請求項２に記載の情報処理装置。
【請求項５】
前記制御手段は、夜間の表示モードにて画面表示されていた際、前記通常状態から前記待機状態に移行させた後、所定時間経過後に、前記待機状態から前記オフ状態に移行させることを特徴とする請求項２に記載の情報処理装置。
【請求項６】
現在位置の情報を取得する取得手段をさらに備え、
前記制御手段は、前記取得手段によって取得された現在位置が自宅周辺以外の際、前記検知手段によりオフ状態に設定することが検知された場合に、前記検出手段により携帯電話装置が周辺に存在することが検出されたとき、所定時間経過後に、前記通常状態から前記オフ状態に移行させることを特徴とする請求項１に記載の情報処理装置。
【請求項７】
前記オフ状態にて、所定の時間ごとに、近距離無線通信が可能な周辺の前記携帯電話装置を検索する検索手段をさらに備え、
前記制御手段は、前記検索手段の検索結果により周辺に前記携帯電話装置が存在する場合に、前記オフ状態から前記待機状態に移行させることを特徴とする請求項１〜６のいずれか一つに記載の情報処理装置。
【請求項８】
前記制御手段は、前記オフ状態から前記待機状態に移行させた後、前記通常状態に設定することが検知された場合に、前記待機状態から前記通常状態に移行させることを特徴とする請求項７に記載の情報処理装置。
【請求項９】
情報処理装置における制御方法であって、
使用時の状態（以下、「通常状態」という）と、電源をオフにした状態（以下、「オフ状態」という）とのうち、いずれかの状態とするかを検知する検知工程と、
前記携帯電話装置が周辺に存在するか否かを検出する検出工程と、
前記通常状態にて、前記検知工程によりオフ状態にする旨が検知された場合で前記検出工程により前記携帯電話装置が周辺に存在すると検出されたとき、当該検出されたときから所定時間経過後に、前記通常状態から前記オフ状態に移行させる制御工程と、
を含み、
前記制御工程は、前記携帯電話装置が周辺に存在すると検出されたときから前記所定時間経過するまでの間に利用者からの入力操作があった場合に、前記所定時間経過後も前記通常状態を保持することを特徴とする制御方法。
【請求項１０】
請求項９に記載の制御方法をコンピュータに実行させることを特徴とする制御プログラム。
【請求項１１】
請求項１０に記載の制御プログラムを記録したことを特徴とするコンピュータに読み取り可能な記録媒体。
【手続補正２】
【補正対象書類名】明細書
【補正対象項目名】全文
【補正方法】変更
【補正の内容】
【発明の詳細な説明】
【技術分野】
【０００１】
この発明は、車両などの移動体に搭載される情報処理装置、制御方法、制御プログラム、および記録媒体に関する。ただし、この発明は、上述した、情報処理装置、制御方法、制御プログラム、および記録媒体に限られるものではない。
【背景技術】
【０００２】
近年、車両などの移動体には、目的地までの経路を探索し、目的地までを誘導するナビゲーション装置が搭載されている。このようなナビゲーション装置では、電源を入れた際に、一定の待ち時間が生じる。この待ち時間を短縮させるために、電源オフの直前に表示されていた情報を不揮発性記憶媒体に記憶させ、電源を入れた際に、この不揮発性記憶媒体に記憶された情報を読み出すようにした技術が提案されている（たとえば、下記特許文献１参照。）。
【先行技術文献】
【特許文献】
【０００３】
【特許文献１】特開平１０−２３９０７３号公報
【発明の概要】
【発明が解決しようとする課題】
【０００４】
しかしながら、上述した特許文献１に記載の技術は、エンジンキーをオフに位置させると、ナビゲーション装置の電源が落ちてしまい、たとえば、目的地に到達してエンジンキーをオフに位置させたものの、目的地周辺の情報を得るために、画面を再表示させるには、ナビゲーション装置を再起動させなければならないといった問題が一例として挙げられる。
【０００５】
つまり、特許文献１に記載の技術は、画面の再表示や各種処理をおこなわせるに際し、ナビゲーション装置を起動する時間、および不揮発性媒体に記憶された情報を読み出す時間を要し、利用者は画面が表示されるのを待たなければならないといった問題が一例として挙げられる。特に、携帯電話装置を介して外部サーバと接続し、外部サーバから情報を取得する場合には、このような時間のロスは顕著になるといった問題が一例として挙げられる。
【課題を解決するための手段】
【０００６】
上述した課題を解決し、目的を達成するため、請求項１の発明にかかる情報処理装置は、移動体に搭載され、携帯電話装置と近距離無線通信をおこなうことが可能な情報処理装置において、使用時の状態（以下、「通常状態」という）と、電源をオフにした状態（以下、「オフ状態」という）とのうち、いずれかの状態とするかを検知する検知手段と、前記携帯電話装置が周辺に存在するか否かを検出する検出手段と、前記通常状態にて、前記検知手段によりオフ状態にする旨が検知された場合で前記検出手段により前記携帯電話装置が周辺に存在すると検出されたとき、当該検出されたときから所定時間経過後に、前記通常状態から前記オフ状態に移行させる制御手段と、を備え、前記制御手段は、前記携帯電話装置が周辺に存在すると検出されたときから前記所定時間経過するまでの間に利用者からの入力操作があった場合に、前記所定時間経過後も前記通常状態を保持することを特徴とする。
【０００７】
また、請求項９に記載の制御方法は、情報処理装置における制御方法であって、情報処理装置における制御方法であって、使用時の状態（以下、「通常状態」という）と、電源をオフにした状態（以下、「オフ状態」という）とのうち、いずれかの状態とするかを検知する検知工程と、前記携帯電話装置が周辺に存在するか否かを検出する検出工程と、前記通常状態にて、前記検知工程によりオフ状態にする旨が検知された場合で前記検出工程により前記携帯電話装置が周辺に存在すると検出されたとき、当該検出されたときから所定時間経過後に、前記通常状態から前記オフ状態に移行させる制御工程と、を含み、前記制御工程は、前記携帯電話装置が周辺に存在すると検出されたときから前記所定時間経過するまでの間に利用者からの入力操作があった場合に、前記所定時間経過後も前記通常状態を保持することを特徴とする。
【０００８】
また、請求項１０に記載の制御プログラムは、請求項９に記載の制御方法をコンピュータに実行させることを特徴とする。
【０００９】
また、請求項１１の発明にかかる記録媒体は、請求項１０に記載の制御プログラムをコンピュータに読み取り可能に記録したことを特徴とする。
【図面の簡単な説明】
【００１０】
【図１】実施の形態にかかる情報処理装置の機能的構成の一例を示すブロック図である。
【図２】本実施の形態にかかる情報処理装置の制御処理手順の一例を示すフローチャートである。
【図３】本実施例にかかるナビゲーション装置のハードウェア構成の一例を示すブロック図である。
【図４】本実施例にかかるナビゲーション装置がおこなうオン状態時における制御処理の一例を示すフローチャートである。
【図５】携帯電話装置およびブルートゥースデバイスアドレスの登録情報の一例を示した説明図である。
【図６】本実施例にかかるナビゲーション装置がおこなうオフ状態時における制御処理の一例を示すフローチャートである。
【図７】ディスプレイに表示される表示画面の一例を示した説明図である。
【発明を実施するための形態】
【００１１】
以下に添付図面を参照して、この発明にかかる情報処理装置、制御方法、制御プログラム、および記録媒体の好適な実施の形態を詳細に説明する。
【００１２】
（実施の形態）
（情報処理装置の機能的構成）
この発明の実施の形態にかかる情報処理装置１００の機能的構成について説明する。図１は、実施の形態にかかる情報処理装置１００の機能的構成の一例を示すブロック図である。
【００１３】
図１において、情報処理装置１００は、移動体に搭載され、携帯電話装置と近距離無線通信をおこなうことが可能である。そして、この近距離無線通信により携帯電話装置から各種情報を取得して、各種処理がおこなわれる。この情報処理装置１００は、設定部１０１と、検知部１０２と、検出部１０３と、制御部１０４と、表示部１０５と、取得部１０６と、検索部１０７とを備えている。
【００１４】
なお、この情報処理装置１００は、電源供給元から電源の供給により起動して各種処理がおこなわれるが、後述する電源をオフにする状態とされた場合でも所定の条件を満す場合には電源の供給が継続されて一部または全ての各種処理がおこなわれるものである。なお、各種処理の一部がおこなわれる状態が後述する待機状態にあてはまり、各種処理の全てがおこなわれる状態が後述する通常状態にあてはまる。
【００１５】
設定部１０１には、使用時の状態（以下、「通常状態」という）と、電源をオフにした状態（以下、「オフ状態」という）とのうち、いずれかが設定される。通常状態とは、たとえば、地図画面やメニュー画面が表示され、利用者からの入力に対して、各種処理がおこなわれる状態である。また、オフ状態とは、メモリをバックアップして動作を停止した状態であり、具体的には、表示部１０５の画面表示やインジケータの点灯がされず、利用者からの入力に対して、各種処理がおこなわれない状態である。
【００１６】
なお、たとえば、情報処理装置１００が車両に搭載されている場合には、車両のバッテリーから電源が供給される。なお、情報処理装置１００は、バッテリーに直結しているバックアップ電源ラインからバックアップ電源が常時供給され、また、アクセサリー電源スイッチを経由するアクセサリー電源ラインからアクセサリー電源が供給される。
【００１７】
検知部１０２は、たとえば、アクセサリー電源が供給されているか、またはアクセサリー電源が供給されていないかを検知する。たとえば、通常、利用者が車両のエンジンキーを操作することによってアクセサリー電源スイッチのオン/オフが切り替えられる。検知部１０２は、たとえば、アクセサリー電源が供給されているか、または、アクセサリー電源が供給されていないかを電源電圧の変動等により検知する。なお、この場合では、アクセサリー電源が供給されている状態が電源をオンにする状態とされ、アクセサリー電源が供給されていない状態が電源をオフにする状態とされる。
【００１８】
検出部１０３は、携帯電話装置を載置することが可能な載置部材上の携帯電話装置を検出する。載置部材は、具体的には、クレードルである。この載置部材は、拡張機器であり、たとえば、携帯電話装置を載置することによって、情報処理装置１００との接続や携帯電話装置の充電をおこなうことが可能になっている。また、この載置部材は情報処理装置１００の周辺に存在する。
【００１９】
検出部１０３は、具体的には、たとえば、載置部材からの接続信号を用いたり、携帯電話装置をセンシングしたりすることにより、携帯電話装置の有無を検出する。なお、検出部１０３は、載置部材からの接続信号やセンシングにより携帯電話装置の有無を検出することに限ることなく、たとえば、載置部材に載置されたことを認識した携帯電話装置から当該載置された旨の信号を受信することにより、携帯電話装置の有無を検出するようにしてもよい。
【００２０】
制御部１０４は、通常状態にて、電源をオフにする状態と検知された場合に、検出部１０３によって載置部材上の携帯電話装置が検出されたとき、所定時間経過後に、通常状態からオフ状態に移行させる。電源をオフにする状態は、たとえば、上記したアクセサリー電源が供給されていない状態である。つまり、制御部１０４は、電源をオフにする状態が検知されたとしても、載置部材上に携帯電話装置が検出されたときは、所定時間経過するまで、バックアップ電源ラインからの電源により各種処理がおこなえるようにし、通常状態、または後述する待機状態を保持する。なお、電源をオフにする状態には、主電源ボタンが押下されることによるオフの状態は含まない。所定時間とは、たとえば、利用者が電源をオフにした直後に再度画面表示させるために電源をオンにすることが想定される時間の範囲であり、任意に設定すればよい。
【００２１】
なお、制御部１０４は、当該所定時間を計測するための計測部（不図示）を備える。また、制御部１０４は、通常状態にて、検知部１０２によって電源をオフにする状態が検知された場合に、検出部１０３によって載置部材上の携帯電話装置が検出されたとき、所定時間経過後に、通常状態からオフ状態に移行させるが、これに限らない。たとえば、検出部１０３が周辺の携帯電話装置との近距離無線通信の接続が確立されている状態にあるかを検出する機能を有し、制御部１０４は、通常状態にて、検知部１０２によって電源をオフする状態が検知された場合に、検出部１０３によって携帯電話装置との近距離無線通信の接続が確立されていることが検出されたとき、所定時間経過後に、通常状態からオフ状態に移行させるようにしてもよい。
【００２２】
この所定時間は、利用者からの入力により適宜、変更できる。なお、制御部１０４は、載置部材上の携帯電話装置が検出されないとき、または周辺の携帯電話装置との近距離無線通信の接続が確立されていないときには、所定時間の経過を待たずに、通常状態からオフ状態に移行させる。また、利用者が情報処理装置１００の主電源ボタンをオフにした場合にも、所定時間の経過を待たずに、通常状態からオフ状態に移行させる。つまり、バックアップ電源からの電源により各種処理がおこなえるようにせず、オフ状態に移行させる。
【００２３】
また、本実施の形態において、設定部１０１には、通常状態、オフ状態、および表示画面の表示を休止させた状態（以下、「待機状態」という）のうち、いずれか一つが設定されるようにしてもよい。待機状態は、レジューム状態であり、具体的には、たとえば、表示部１０５やインジケータ等を消灯させる一方、利用者からの入力に対して、各種処理をおこなうことができる状態であり、あたかも、停止したように見える状態である。また、待機状態において、外部サーバと通信接続している場合には、外部サーバと適宜、送受信がおこなわれる。
【００２４】
この場合、制御部１０４は、検知部１０２によって電源をオフにする状態が検知され、かつ、載置部材上に携帯電話装置が載置されていることが検出されている、または携帯電話装置との近距離無線通信の接続が確立されていることが検出されている場合に、通常状態から待機状態に移行させた後、所定時間経過後に、待機状態からオフ状態に移行させる。なお、制御部１０４は、載置部材上の携帯電話装置が検出されないとき、または携帯電話装置との近距離無線通信の接続が断たれているときには、待機状態に移行させずに、通常状態からオフ状態に移行させる。
【００２５】
また、本実施の形態において、制御部１０４は、通常状態から待機状態に移行させた後、所定時間経過前に、検出部１０３によって載置部材上に携帯電話装置が検出されなくなった場合、または携帯電話装置との近距離無線通信の接続が断たれてしまった場合に、待機状態からオフ状態に移行させるようにしてもよい。載置部材上に携帯電話装置が検出されなくなった場合とは、具体的には、たとえば、利用者により携帯電話装置が載置部材から取り外された場合であり、携帯電話装置との近距離無線通信の接続が断たれてしまった場合とは、携帯電話装置の電源がオフされてしまった場合や携帯電話装置の位置が近距離無線通信の可能な範囲から外れてしまった場合である。
【００２６】
また、本実施の形態において、制御部１０４は、通常状態から待機状態に移行させた後、所定時間経過前に、利用者からの操作入力があった場合に、待機状態から通常状態に移行させるようにしてもよい。操作入力は、たとえば、操作ボタンに対する操作入力や、タッチパネルに触れることによる操作入力である。待機状態から通常状態への移行は、表示部１０５やインジケータ等の消灯した状態から、動作画面を出して、インジケータ等が点灯状態への移行である。なお、利用者からの操作入力があった後に、載置部材上から携帯電話装置が検出されなくなった場合や周辺の携帯電話装置との近距離無線通信の接続が断たれてしまった場合には、オフ状態に移行する。
【００２７】
また、本実施の形態において、制御部１０４は、夜間の表示モードにて画面表示されており、通常状態から待機状態に移行させた後、所定時間経過後に、待機状態から前記オフ状態に移行させるようにしてもよい。夜間の表示モードは、昼間の表示モードに比べて暗い表示である。夜間のモードが表示されているときとしたのは、具体的には、時間帯を限定する趣旨であり、これは、たとえば、夜間、エンジンを停止後に、無人の車両内にて画面表示されていると、盗難などに遭うおそれがあり、不用心であるということに基づく。このように、本構成は、夜間には、通常状態を保持することなく、すぐに待機状態に移行させることにより、画面表示をさせないようにしたものである。
【００２８】
また、本実施の形態において、取得部１０６は、任意の構成要素である。取得部１０６は、現在位置の情報を取得する。この場合、制御部１０４は、取得部１０６によって取得された現在位置が自宅周辺以外であり、検知部１０２によりオフ状態に設定することが検知され、さらに、携帯電話装置が載置されていることが検出された場合、または携帯電話装置との近距離無線通信の接続が確立されていることが検出された場合に、所定時間経過後に、通常状態からオフ状態に移行させる。
【００２９】
なお、制御部１０４は、現在位置が自宅周辺である場合には、検知部１０２によって電源をオフにする状態が検知されたときに、所定時間の経過を待たずに、通常状態からオフ状態に移行させる。現在位置が自宅周辺であるか否かの判断は、具体的には、予め登録される自宅の位置情報と現在位置の情報とを用いることによっておこなわれる。
【００３０】
また、本実施の形態において、検索部１０７は、任意の構成要素である。検索部１０７は、オフ状態にて、所定の時間ごとに、近距離無線通信が可能な周辺の携帯電話装置を検索する。検索部１０７は、具体的には、近距離無線通信を用いて、周辺の携帯電話装置を検索する。より詳細には、検索部１０７は、予め登録される携帯電話装置が周辺に存在するか否かを、順次認証することにより、検索をおこなう。近距離無線通信には、代表的には、Ｂｌｕｅｔｏｏｔｈデバイスが用いられるが、赤外線デバイスを用いることも可能である。なお、Ｂｌｕｅｔｏｏｔｈは、登録商標である。
【００３１】
なお、情報処理装置１００は、Ｂｌｕｅｔｏｏｔｈデバイスを介して携帯電話装置と近距離無線通信をおこなうことにより、外部サーバと接続可能になり、たとえば、携帯電話装置に紐付けられた個人ごとの属性に基づく情報を受信することが可能になっている。
【００３２】
なお、オフ状態では、全ての電源がオフになっているのではなく、少なくとも、検索部１０７による検索をおこなうための電源が供給される。所定の時間は、検索をおこなう時間の間隔であり、任意に設定すればよいが、より詳細な検索をおこなえるという観点からすれば、短い間隔であることが望ましい。また、周辺とは、近距離無線通信が可能な範囲であり、具体的には、移動体の外を含む範囲である。
【００３３】
この場合、制御部１０４は、検索部１０７の検索結果により周辺に携帯電話装置が存在する場合に、オフ状態から待機状態に移行させる。本構成は、具体的には、移動体の外から利用者が近づいてきた際に、オフ状態から待機状態に移行させることを可能にしたものである。
【００３４】
なお、制御部１０４は、検索部１０７の検索結果により周辺に携帯電話装置が存在する場合に、オフ状態から通常状態に移行させるようにしてもよい。さらに、この場合、制御部１０４は、一定時間が経過しても検知部１０２によって電源をオンにする状態が検知されない場合、つまり、利用者がアクセサリー電源スイッチをオンすることや操作入力がおこなわれることがない場合、通常状態からオフ状態に移行させればよい。なお、一定時間とは、検索がおこなわれてから利用者が車両に乗り込むために要する程度の時間である。
【００３５】
また、本実施の形態において、制御部１０４は、検索部１０７の検索結果に基づき、オフ状態から待機状態に移行させた後、検知部１０２によって電源をオンにする状態が検知された場合に、待機状態から通常状態に移行させるようにしてもよい。本構成は、移動体の外から利用者が近づき、オフ状態から待機状態に移行させた後、利用者がアクセサリー電源スイッチをオンさせたときや、タッチパネルなどから操作入力があったときに、待機状態から通常状態へ移行させることを可能にしたものである。つまり、利用者からの入力があったときに、瞬時に通常状態に移行することが可能となる。
【００３６】
（情報処理装置の制御処理手順）
つぎに、図２を用いて、情報処理装置１００の制御処理手順について説明する。図２は、本実施の形態にかかる情報処理装置１００の制御処理手順の一例を示すフローチャートである。
【００３７】
図２のフローチャートにおいて、情報処理装置１００は、通常状態に設定されているものとし、この状態において、電源をオフにする状態が検知されたか否かを判断する（ステップＳ２０１）。電源をオフにする状態が検知されない場合は電源をオフにする状態が検知されるまで待機する（ステップＳ２０１：Ｎｏのループ）。電源をオフにする状態が検知されると（ステップＳ２０１：Ｙｅｓ）、載置部材上に携帯電話装置が載置されているか否か、または携帯電話装置との近距離無線通信の接続が確立されているか否かを判断する（ステップＳ２０２）。
【００３８】
載置部材上に携帯電話装置が載置されている、または近距離無線通信の接続が確立されていると判断した場合（ステップＳ２０２：Ｙｅｓ）、所定時間経過したか否かを判断する（ステップＳ２０３）。所定時間経過するまで（ステップＳ２０３：Ｎｏ）、ステップＳ２０２に移行し、所定時間経過すると（ステップＳ２０３：Ｙｅｓ）、通常状態からオフ状態に移行し（ステップＳ２０４）、一連の処理を終了する。
【００３９】
一方、載置部材上に携帯電話装置が載置されていないと判断した場合や近距離無線通信の接続が確立されていないと判断した場合（ステップＳ２０２：Ｎｏ）、ステップＳ２０４に移行し、所定時間の経過を待たずに通常状態からオフ状態に移行して一連の処理を終了する。
【００４０】
以上説明したように、本実施の形態にかかる情報処理装置１００によれば、通常状態にて、電源をオフにする状態が検知された場合に、載置部材上に携帯電話装置が存在するとき、または携帯電話装置との近距離無線通信の接続が確立されているとき、所定時間経過後に、通常状態からオフ状態に移行させるようにしたので、アクセサリー電源が供給されていない状態であっても、しばらくは、通常状態を保持することができる。したがって、利用者は、たとえば、アクセサリー電源スイッチを「オフ」に位置させた後であっても、情報処理装置１００を使用したい場合には、情報処理装置１００を再起動することなく、つまり、待ち時間がなく、即座に情報処理装置１００を使用することができる。
【００４１】
また、本実施の形態において、通常状態から待機状態に移行させた後、所定時間経過後に、待機状態からオフ状態に移行させるようにすれば、無駄な電源の消費を防止することができるだけでなく、必要に応じて、即座に画面表示をおこなうことができる。
【００４２】
また、本実施の形態において、通常状態から待機状態に移行させた後、所定時間経過前に、載置部材上に携帯電話装置が存在しなくなったとき、または携帯電話装置との近距離無線通信の接続が断たれてしまったときに、待機状態からオフ状態に移行させるようにすれば、無駄な電源の消費を防止することができる。つまり、利用者が携帯電話装置を載置部材から取り外したことや携帯電話装置を持ち去ってしまったことで、情報処理装置１００を使用する可能性の低いことが想定でき、この場合に、オフ状態に移行させることにより、無駄な電源の消費を防止することが可能になる。
【００４３】
また、本実施の形態において、通常状態から待機状態に移行させた後、所定時間経過前に、利用者からの操作入力があった場合に、待機状態から通常状態に移行させるようにすれば、必要に応じて、即座に画面表示をおこなうことができる。
【００４４】
また、本実施の形態において、夜間の表示モードにて画面表示されていた場合であって、通常状態から待機状態に移行させた後、所定時間経過後に、待機状態からオフ状態に移行させるようにすれば、夜間に、エンジンを切った後に、たとえば、無人の移動体内にて画面表示がされることにより、不用心になることを防止できる。
【００４５】
また、本実施の形態において、現在位置が自宅周辺以外の場合に、電源をオフにする入力があった場合、所定時間経過後に、通常状態からオフ状態に移行させるようにすれば、利用者が情報処理装置１００を使用する可能性のある場所にて、しばらくの間、画面表示させておくことができる。言い換えれば、電源をオフにする状態が検知された場合に、自宅周辺などの利用者が情報処理装置１００を使用する可能性の低い場所にて、オフ状態に移行させることができる。
【００４６】
また、本実施の形態において、オフ状態にて、所定の時間ごとに、近距離無線通信が可能な周辺の携帯電話装置を検索するようにし、周辺に携帯電話装置が存在する場合に、オフ状態から待機状態に移行させるようにすれば、移動体の外から利用者が近づいてきた際に、オフ状態から待機状態に移行させることができる。また、オフ状態から待機状態に移行させることに限らず、オフ状態から通常状態に移行させるようにすれば、利用者が移動体に乗る前から、画面表示させることができ、待ち時間をなくすことができる。
【００４７】
また、本実施の形態において、オフ状態から待機状態に移行させた後、電源をオンにする状態が検知された場合に、待機状態から通常状態に移行させるようにすれば、移動体の外から利用者が近づき、オフ状態から待機状態に移行させた後、利用者がアクセサリー電源スイッチをオンさせたときや操作入力をおこなったときに、瞬時に通常状態に移行することが可能になり、画面表示されるまでの待ち時間をなくすことができる。
【実施例】
【００４８】
以下に、本発明の実施例について説明する。なお、以下の説明においては、車両に搭載されるナビゲーション装置によって、本発明の情報処理装置を実施した場合の一例について説明する。なお、このナビゲーション装置は、携帯電話装置から近距離無線通信により各種情報を取得して各種処理がおこなわれる。また、このナビゲーション装置は、電源供給元からアクセサリー電源の供給により起動して各種処理がおこなわれるが、電源をオフする入力があった場合でも所定の条件を満す場合にはアクセサリー電源の供給が継続されて一部または全ての各種処理がおこなわれるものである。
【００４９】
（ナビゲーション装置のハードウェア構成）
図３を用いて、本実施例にかかるナビゲーション装置３００のハードウェア構成について説明する。図３は、本実施例にかかるナビゲーション装置３００のハードウェア構成の一例を示すブロック図である。
【００５０】
図３において、ナビゲーション装置３００は、車両などの移動体に搭載されており、クレードル３４０に対して脱着可能な携帯電話装置３３０と近距離無線通信が可能になっている。ナビゲーション装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、マイク３０９と、スピーカ３１０と、入力デバイス３１１と、映像Ｉ／Ｆ３１２と、ディスプレイ３１３と、通信Ｉ／Ｆ３１４と、ＢＴ（Ｂｌｕｅｔｏｏｔｈ）デバイス３１５と、ＧＰＳユニット３１６と、各種センサ３１７と、を備えている。なお、Ｂｌｕｅｔｏｏｔｈは、登録商標である。また、各構成部３０１〜３１７はバス３２０によってそれぞれ接続されている。
【００５１】
ＣＰＵ３０１は、ナビゲーション装置３００の全体の制御を司る。ＲＯＭ３０２は、ブートプログラム、現在地点算出プログラム、経路探索プログラム、経路誘導プログラム、制御プログラムなどの各種プログラムを記録している。なお、これらプログラムは、書換え可能な不揮発性メモリに記録するようにしてもよい。また、ＲＡＭ３０３は、ＣＰＵ３０１のワークエリアとして使用される。また、ＣＰＵ３０１は、時間を計測するタイマーを内蔵している。
【００５２】
現在地点算出プログラムは、たとえば、後述するＧＰＳユニット３１６および各種センサ３１７の出力情報に基づいて、車両の現在地点（ナビゲーション装置３００の現在地点）を算出させる。
【００５３】
経路探索プログラムは、後述する磁気ディスク３０５に記録されている地図データなどを利用して、出発地点から目的地点までの最適な経路を探索させる。ここで、最適な経路とは、目的地点までの最短（または最速）経路やユーザが指定した条件に最も合致する経路などである。探索された経路は、ＣＰＵ３０１を介して音声Ｉ／Ｆ３０８や映像Ｉ／Ｆ３１２へ出力される。
【００５４】
経路誘導プログラムは、経路探索プログラムを実行することによって探索された誘導経路情報、現在地点算出プログラムを実行することによって算出された車両の現在地点情報、磁気ディスク３０５から読み出された地図データに基づいて、リアルタイムな経路誘導情報を生成させる。生成された経路誘導情報は、ＣＰＵ３０１を介して音声Ｉ／Ｆ３０８や映像Ｉ／Ｆ３１２へ出力される。
【００５５】
制御プログラムは、表示状態に関する情報と、クレードル３４０に携帯電話装置３３０がセットされた際の接続信号とに基づいて、表示状態を移行させるプログラムである。なお、表示状態は、ナビゲーション装置３００を使用する際の通常状態と、電源をオフにしたオフ状態と、表示画面の表示を休止させた待機状態とがある。
【００５６】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。
【００５７】
光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータの読み出される着脱自在な記録媒体である。光ディスク３０７は、書き込み可能な記録媒体を利用することもできる。また、この着脱自在な記録媒体として、光ディスク３０７のほか、ＭＯ、メモリカードなどであってもよい。
【００５８】
音声Ｉ／Ｆ３０８は、マイク３０９およびスピーカ３１０に接続される。マイク３０９は、マイク３０９は、たとえば、車両のサンバイザー付近に設置され、その数は単数でも複数でもよい。マイク３０９に受音された音声は、音声Ｉ／Ｆ３０８内でＡ／Ｄ変換される。
【００５９】
スピーカ３１０は、音声を出力する。具体的には、スピーカ３１０からは、経路誘導に関する音声や、ハンズフリー通話時の携帯電話装置３３０による相手先の通話音声が出力される。入力デバイス３１１は、文字、数値、各種指示などの入力のための複数のキーを備えたリモコン、キーボード、マウス、タッチパネルなどが挙げられる。入力デバイス３１１は、リモコン、キーボード、マウス、タッチパネルのうち、いずれか一つの形態によって実現されてもよいし、複数の形態によって実現されてもよい。
【００６０】
映像Ｉ／Ｆ３１２は、ディスプレイ３１３と接続される。映像Ｉ／Ｆ３１２は、具体的には、たとえば、ディスプレイ３１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１３を表示制御する制御ＩＣなどによって構成される。
【００６１】
ディスプレイ３１３には、アイコン、カーソル、メニュー、ウインドウ、あるいは文字や画像などの各種データが表示される。このディスプレイ３１３は、たとえば、ＣＲＴ、ＴＦＴ液晶ディスプレイ、プラズマディスプレイなどを採用することができる。ディスプレイ３１３は、たとえば、車両のダッシュボード付近に設置される。また、ディスプレイ３１３は、映像Ｉ／Ｆ３１２からの指令により夜間の表示モード、昼間の表示モードのいずれかの表示モードで各種情報を表示する。なお、映像Ｉ／Ｆ３１２は、たとえば、車両のイグニッションキーのオンにより昼間の表示モードから夜間の表示モードに切り替える旨の指令をディスプレイ３１３に与える。
【００６２】
通信Ｉ／Ｆ３１４は、無線を介してネットワークに接続され、ナビゲーション装置３００とＣＰＵ３０１とのインターフェースとして機能する。通信Ｉ／Ｆ３１４は、さらに、無線を介してインターネットなどの通信網に接続され、この通信網とＣＰＵ３０１とのインターフェースとしても機能する。
【００６３】
また、通信Ｉ／Ｆ３１４は、ＢＴデバイス３１５を含む。ＢＴデバイス３１５は、携帯電話装置３３０と近距離無線通信をおこない、ハンズフリー通話時の音声情報やインターネットのサイト情報などの送受信をおこなう。ＢＴデバイス３１５は、たとえば、２．４ＧＨｚの電波を利用し、周辺の所定範囲内の携帯電話装置３３０と通信をおこなう。また、ＢＴデバイス３１５は、ＣＰＵ３０１の制御により、ナビゲーション装置３００のオフ状態にて、所定の時間ごとに、周辺の携帯電話装置３３０を検索する。
【００６４】
たとえば、周辺の携帯電話装置３３０に対し、機器ＩＤ等の送信を要求する信号を発信する。そして、検索結果に基づき、周辺の携帯電話装置３３０との認証処理をおこない近距離無線通信の接続を確立させる。また、通信Ｉ／Ｆ３１４は、携帯電話装置３３０との近距離無線通信の接続状態を検出する。必要に応じて当該検出状態（接続が確立されている状態か、または接続が断たれている状態か）を示す信号をＣＰＵ３０１に伝送する。
【００６５】
ＧＰＳユニット３１６は、ＧＰＳ衛星からの電波を受信し、車両の現在地点を示す情報を出力する。ＧＰＳユニット３１６の出力情報は、後述する各種センサ３１７の出力値とともに、ＣＰＵ３０１による車両の現在地点の算出に際して利用される。現在地点を示す情報は、たとえば緯度・経度、高度などの、地図データ上の１点を特定する情報である。なお、ＣＰＵ３０１は、車両の現在地点と、予め磁気ディスク等に記録されている自宅の位置情報とから現在位置が自宅周辺にあるかを判断する。この自宅周辺にあるかは、たとえば、自宅までの道のり距離が１００ｍ以内にあるかで判断する。
【００６６】
各種センサ３１７は、車速センサ、加速度センサ、角速度センサなどの、車両の位置や挙動を判断することが可能な情報を出力する。各種センサ３１７の出力値は、ＣＰＵ３０１による車両の現在地点の算出や、速度や方位の変化量の測定などに用いられる。
【００６７】
携帯電話装置３３０は、ＢＴデバイス３１５と同様のデバイスを内蔵しており、ナビゲーション装置３００と近距離無線通信をおこなえるようになっている。携帯電話装置３３０は、外部サーバと接続可能であり、たとえば、携帯電話装置３３０に紐付けられた個人ごとの属性に基づく情報を受信することが可能である。携帯電話装置３３０が受信した情報は、ＢＴデバイス３１５を介してスピーカ３１０やディスプレイ３１３から出力される。
【００６８】
クレードル３４０は、載置部材に相当する。このクレードル３４０は、スタンド型の拡張機器であり、たとえば、携帯電話装置３３０をセットすることによって、ナビゲーション装置３００との接続や携帯電話装置３３０の充電をおこなうことが可能になっている。携帯電話装置３３０がクレードル３４０にセットされたことを検出するには、クレードル３４０からの接続信号を用いてもよいし、クレードル３４０上の携帯電話装置３３０をセンシングしてもよい。また、クレードル３４０にセットされたことを認識した携帯電話装置３３０から当該セットされたことを示す信号をＢＴデバイス３１５により受信することによって検出するようにしてもよい。なお、クレードル３４０は、ナビゲーション装置３００の周辺に設置される。
【００６９】
図１に示した情報処理装置１００が備える設定部１０１と、検知部１０２と、検出部１０３と、制御部１０４と、表示部１０５と、取得部１０６と、検索部１０７とは、図３に示したナビゲーション装置３００におけるＲＯＭ３０２や不揮発性メモリ、ＲＡＭ３０３、磁気ディスク３０５、光ディスク３０７などに記録されたプログラムやデータを用いて、ＣＰＵ３０１が所定のプログラムを実行し、ナビゲーション装置３００における各部を制御することによってその機能を実現する。
【００７０】
すなわち、本実施例のナビゲーション装置３００は、ナビゲーション装置３００における記録媒体としてのＲＯＭ３０２や不揮発性メモリに記録されている制御プログラムを実行することにより、図１に示した情報処理装置１００が備える機能を、図２に示した制御処理手順で実行することができる。
【００７１】
（ナビゲーション装置がおこなうオン状態時における制御処理の一例）
つぎに、図４を用いて、本実施例にかかるナビゲーション装置３００がおこなうオン状態時における制御処理の一例について説明する。図４は、本実施例にかかるナビゲーション装置３００がおこなうオン状態時における制御処理の一例を示すフローチャートである。
【００７２】
図４において、ナビゲーション装置３００は、通常状態にあるものとし、電源をオフにする状態が検知されたか否かを判断する（ステップＳ４０１）。電源をオフにする状態が検知されるまで待機状態にある（ステップＳ４０１：Ｎｏのループ）。電源をオフにする状態が検知されたと判断すると（ステップＳ４０１：Ｙｅｓ）、現在位置が自宅周辺か否かを判断する（ステップＳ４０２）。現在位置が自宅周辺ではないと判断した場合（ステップＳ４０２：Ｎｏ）、携帯電話装置３３０がクレードル３４０にセットされているか否かを判断する（ステップＳ４０３）。
【００７３】
携帯電話装置３３０がクレードル３４０にセットされていると判断した場合（ステップＳ４０３：Ｙｅｓ）、ｔ＝０として、タイマーにより時間の計測を開始する（ステップＳ４０４）。そして、使用していた画面表示が夜間の表示モードであるか否かを判断する（ステップＳ４０５）。
【００７４】
夜間の表示モードであると判断した場合（ステップＳ４０５：Ｙｅｓ）、通常状態から待機状態に移行する（ステップＳ４０６）。一方、夜間の表示モードではないと判断した場合（ステップＳ４０５：Ｎｏ）、通常状態を保持し、ステップＳ４０７に移行する。このあと、計測を開始してから所定時間（ｎ）が経過したか否かを判断する（ステップＳ４０７）。
【００７５】
所定時間が経過していないと判断した場合（ステップＳ４０７：Ｎｏ）、携帯電話装置３３０がクレードル３４０から外されたか否かを判断する（ステップＳ４０８）。携帯電話装置３３０がクレードル３４０から外されていない場合（ステップＳ４０８：Ｎｏ）、利用者からの操作入力があったか否かを判断する（ステップＳ４０９）。なお、利用者からの操作入力は、たとえば、タッチパネルに触れることによる操作入力である。
【００７６】
操作入力があるまで（ステップＳ４０９：Ｎｏ）、ステップＳ４０７に移行する。操作入力があると（ステップＳ４０９：Ｙｅｓ）、待機状態から通常状態に移行し（通常状態にある場合は通常状態を保持し）（ステップＳ４１０）、一連の処理を終了する。
【００７７】
一方、現在位置が自宅周辺であると判断した場合（ステップＳ４０２：Ｙｅｓ）、通常状態からオフ状態に移行し（ステップＳ４１１）、一連の処理を終了する。また、携帯電話装置３３０がクレードル３４０にセットされていないと判断した場合（ステップＳ４０３：Ｎｏ）、ステップＳ４１１に移行する。
【００７８】
さらに、所定時間が経過したと判断した場合（ステップＳ４０７：Ｙｅｓ）、ステップＳ４１１に移行する。また、携帯電話装置３３０がクレードル３４０から外されたと判断した場合（ステップＳ４０８：Ｙｅｓ）、ステップＳ４１１に移行する。
【００７９】
上述した処理によれば、通常状態にて、電源をオフにする状態が検知された場合であっても、しばらくは、通常状態を保持することができる。したがって、利用者は、エンジンキーを「オフ」に位置させた後であっても、ナビゲーション装置３００を使用したい場合には、再起動することなく、つまり、待ち時間がなく、即座にナビゲーション装置３００を使用することができる。
【００８０】
なお、携帯電話装置３３０がクレードル３４０にセットされているか否かを判断すること、ならびに携帯電話装置３３０がクレードル３４０から外されたか否かを判断すること、の各々を、携帯電話装置３３０との近距離無線通信の接続が確立されているか否かを判断すること、ならびに携帯電話装置３３０との近距離無線通信の接続が断たれたか否かを判断すること、の各々に置き換えて処理をおこなうようにしてもよい。
【００８１】
また、通常状態から待機状態に移行させた後、所定時間経過後に、待機状態からオフ状態に移行させるようにしたので、無駄な電源の消費を防止することができるだけでなく、必要に応じて、即座に画面表示をおこなうことができる。
【００８２】
また、通常状態から待機状態に移行させた後、所定時間経過前に、クレードル３４０から携帯電話装置３３０が取り外されたときに、待機状態からオフ状態に移行させるようにしたので、無駄な電源の消費を防止することができる。
【００８３】
また、通常状態から待機状態に移行させた後、所定時間経過前に、利用者からの操作入力があった場合に、待機状態から通常状態に移行させるようにしたので、必要に応じて、即座に画面表示をおこなうことができる。
【００８４】
また、夜間の表示モードにて画面表示されていた場合であって、通常状態から待機状態に移行させた後、所定時間経過後に、待機状態からオフ状態に移行させるようにしたので、夜間に、エンジンを切った後に、たとえば、無人の車両内にて画面表示がされることにより、不用心になることを防止できる。
【００８５】
また、現在位置が自宅周辺以外の場合に、電源をオフにする状態が検知された場合、所定時間経過後に、通常状態からオフ状態に移行させるようにしたので、利用者がナビゲーション装置３００を使用する可能性のある場所にて、しばらくの間、画面表示させておくことができる。言い換えれば、電源をオフにする入力があった場合に、自宅周辺など利用者がナビゲーション装置３００を使用する可能性の低い場所にて、オフ状態に移行させることができる。
【００８６】
（携帯電話装置およびブルートゥースデバイスアドレスの登録情報の一例）
つぎに、図５を用いて、携帯電話装置３３０およびブルートゥースデバイスアドレス（ＢＤアドレス）の登録情報の一例について説明する。図５は、携帯電話装置３３０およびブルートゥースデバイスアドレス（ＢＤアドレス）の登録情報の一例を示した説明図である。
【００８７】
図５において、登録情報５００は、携帯電話装置３３０と、ＢＤアドレス５０１と、自動オン設定５０２とからなる。携帯電話装置３３０と、ＢＤアドレス５０１は、それぞれ対応付けられて登録されている。自動オン設定５０２は、オフ状態において、所定の時間ごとに、周辺の携帯電話装置３３０を検索するか否かの設定である。
【００８８】
また、自動オン設定５０２が設定されている場合には、検索の結果、周辺に登録されている携帯電話装置３３０が存在する場合には、自動で待機状態に移行させる。自動オン設定５０２に示す「○」は、自動オン設定５０２が設定されていることを示し、「−」は、自動オン設定５０２が設定されていないことを示している。自動オン設定５０２は、利用者からの入力により、適宜、設定変更可能である。このような登録情報５００により、ＢＴデバイス３１５は、ＢＤアドレス５０１に対応付けられている携帯電話装置３３０を検索するようになっている。
【００８９】
（ナビゲーション装置がおこなうオフ状態時における制御処理の一例）
つぎに、図６を用いて、本実施例にかかるナビゲーション装置３００がおこなうオフ状態時における制御処理の一例について説明する。図６は、本実施例にかかるナビゲーション装置３００がおこなうオフ状態時における制御処理の一例を示すフローチャートである。
【００９０】
図６において、ナビゲーション装置３００は、オフ状態にあるものとし、携帯電話装置３３０に対する周辺検索をおこなうタイミングか否かを判断する（ステップＳ６０１）。周辺検索をおこなうタイミングになるまで待機状態にある（ステップＳ６０１：Ｎｏのループ）。
【００９１】
周辺検索をおこなうタイミングとなると（ステップＳ６０１：Ｙｅｓ）、ＢＴデバイス３１５により、周辺検索を開始する（ステップＳ６０２）。そして、登録されている携帯電話装置３３０が存在するか否かを判断する（ステップＳ６０３）。たとえば、ＢＤアドレス５０１に対応付けられている携帯電話装置３３０から、機器ＩＤ等の送信の要求に対する応答があったか否かを判断する。登録されている携帯電話装置３３０が存在する（自動オン設定５０２が「○」の携帯電話装置３３０が存在する）と判断した場合（ステップＳ６０３：Ｙｅｓ）、オフ状態から待機状態に移行する（ステップＳ６０４）。
【００９２】
そして、待機状態に移行してから所定時間経過したか否かを判断する（ステップＳ６０５）。待機状態に移行してから所定時間経過していない場合（ステップＳ６０５：Ｎｏ）、電源をオフにしている状態か否かを判断する（ステップＳ６０６）。
【００９３】
電源をオフにしている状態と判断した場合（ステップＳ６０６：Ｙｅｓ）、ステップＳ６０５に移行する。電源をオフにしている状態ではないと判断した場合（ステップＳ６０６：Ｎｏ）、つまり、利用者がエンジンキーを操作し、電源をオンにする入力があった場合やタッチパネルなどを操作することによる操作入力があった場合に、待機状態から通常状態に移行し（ステップＳ６０７）、一連の処理を終了する。なお、ステップＳ６０７において、通常状態に移行した直後の表示画面の詳細については、図７を用いて後述する。
【００９４】
一方、ステップＳ６０３において、登録されている携帯電話装置３３０が存在しない（自動オン設定５０２が「○」の携帯電話装置３３０が存在しない）と判断した場合（ステップＳ６０３：Ｎｏ）、一連の処理を終了する。また、ステップＳ６０５において、待機状態に移行してから所定時間経過した場合（ステップＳ６０５：Ｙｅｓ）、待機状態からオフ状態に移行し（ステップＳ６０８）、一連の処理を終了する。
【００９５】
上述した処理によれば、オフ状態にて、所定の時間ごとに、近距離無線通信が可能な周辺の携帯電話装置３３０を検索するようにし、周辺に携帯電話装置３３０が存在する場合に、オフ状態から待機状態に移行させるようにしたので、車両の外から利用者が近づいてきた際に、オフ状態から待機状態に移行させることができる。また、オフ状態から待機状態に移行させることに限らず、オフ状態から通常状態に移行させるようにすれば、利用者が車両に乗り込む前から、画面表示させることができ、待ち時間をなくすことができる。
【００９６】
また、オフ状態から待機状態に移行させた後、電源をオフにしている状態ではなくなった場合に、待機状態から通常状態に移行させるようにしたので、車両の外から利用者が近づき、オフ状態から待機状態に移行させた後、利用者からの入力があると、即座に、待機状態から通常状態へ移行させることができる。したがって、利用者がエンジンキーを「アクセサリー電源」に位置させたときやタッチパネルなどから操作入力をおこなったときに、瞬時に通常状態に移行することが可能になり、画面表示されるまでの待ち時間をなくすことができる。
【００９７】
（ディスプレイに表示される表示画面の一例）
つぎに、図７を用いて、ディスプレイ３１３に表示される表示画面の一例について説明する。図７は、ディスプレイ３１３に表示される表示画面の一例を示した説明図である。図７に示す表示画面は、図６に示したステップＳ６０７の通常状態に移行した直後の表示画面を示したものである。
【００９８】
図７において、表示画面７００には、メッセージが表示されている。この表示画面７００は、利用者が運転席に乗り込み、タッチパネルを操作したり、エンジンキーを操作して電源をオンにした際に、即座に表示される画面である。つまり、この表示画面７００の前段階では、ナビゲーション装置３００が待機状態にあるため、利用者が運転席に乗り込み、タッチパネルを操作したり、エンジンキーを操作して電源をオンにすると、即座に、表示および音声による通知がおこなわれるようになっている。
【００９９】
以上説明したように、本発明の情報処理装置、制御方法、制御プログラム、および記録媒体によれば、利用者が使用したい場合に、再起動することなく、つまり、待ち時間がなく、即座に画面表示させることができる。
【０１００】
なお、上記したナビゲーション装置３００として、たとえば、移動体に着脱可能とされる携帯型ナビゲーション装置にも適用可能である。上記したナビゲーション装置３００は、移動体に固定される固定型ナビゲーション装置であるが、携帯型ナビゲーション装置は、利用者による簡単な操作により移動体に対し着脱可能となり、持ち運び可能となるものである。
【０１０１】
この携帯型ナビゲーション装置は、上記したナビゲーション装置３００とほぼ同様な構成を備えるが、携帯電話装置３３０と同様に携帯型ナビゲーション装置専用のクレードル３４０に装着されることで移動体に対し着脱可能となる。また、携帯型ナビゲーション装置が専用のクレードル３４０に装着された際には当該携帯型ナビゲーション装置に設けられたコネクタ端子を介して電源供給元となる移動体のシガーソケットから電源が供給され、各種処理がおこなわれる。携帯型ナビゲーション装置では、当該コネクタ端子を介して電源が供給されているか否かで電源をオフにする状態か、または電源をオンにする状態かを検知することができる。
【０１０２】
そして、シガーソケットから電源が供給されている通常状態にて、電源をオフにする状態が検知されたときに、携帯電話装置３３０がクレードル３４０にセットされている場合、または携帯電話装置３３０との近距離無線通信の接続が確立されている場合は、携帯型ナビゲーション装置に内蔵されている電源により通常状態を保持し、所定時間経過後にオフ状態に移行する。この電源をオフにする状態とは、たとえば、携帯型ナビゲーション装置がクレードル３４０から離脱したときが挙げられる。
【０１０３】
また、携帯型ナビゲーション装置が専用のクレードル３４０に装着されている状態において、登録されている携帯電話装置３３０が周辺に存在すると検索された場合には、内蔵されている電源によりオフ状態から待機状態に移行する。
【０１０４】
このように、固定型のナビゲーション装置に限ることなく、携帯型ナビゲーション装置にも上記した本実施例は十分に適用可能となる。
【０１０５】
なお、本実施例で説明した制御方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【０１０６】
１００  情報処理装置
１０１  設定部
１０２  検知部
１０３  検出部
１０４  制御部
１０５  表示部
１０６  取得部
１０７  検索部
３００  ナビゲーション装置
【国際調査報告】
2009078091.tif 000010
2009078091.tif 000011
2009078091.tif 000012
2009078091.tif 000013